(57)【要約】【課題】図面作成業務において、省資源化を図り、図面データの確認を容易に行えるようにし、図面データと加筆情報を関連付けてデジタルデータとして保存すること。【解決手段】クリアファイル３０の表面側に位置検出用のドットパターン４０を、裏面側に背景層５０を印刷し、透明リライタブルシート２０に図面データＤを書き換え可能に印字する。ドットパターン４０に基づいてデジタルペン１０でクリアファイル３０のページを認識した後、クリアファイル３０に透明リライタブルシート２０を挟み込み、図面データＤに筆記する加筆情報Ｍをドットパターン入りのクリアファイル３０の表面にデジタルペン１０で書き換え可能に筆記し、図面データＤと加筆情報Ｍを関連付けてデジタルデータとして保存する。【選択図】図１
2008047046.tif 000002
【特許請求の範囲】
【請求項１】
デジタルペンと透明リライタブルシートとクリアファイルを用いた図面データ保存方法であって、クリアファイルの表面側にデジタルペンで認識される位置検出用のドットパターンを、裏面側に背景層をそれぞれ印刷し、透明リライタブルシートに図面データを書き換え可能に印字するとともに、ドットパターンに基づいてデジタルペンでページを認識した後、クリアファイルに透明リライタブルシートを挟み込み、透明リライタブルシートに印字した図面データに加筆する情報をドットパターン入りのクリアファイルの表面にデジタルペンで書き換え可能に筆記することにより、図面データと加筆情報を関連付けてデジタルデータとして保存することを特徴とする図面データ保存方法。
【請求項２】
デジタルペンと透明リライタブルシートとクリアファイルを用いた図面データ保存方法であって、クリアファイルの表面側にデジタルペンで認識される位置検出用のドットパターンを、裏面側に背景層をそれぞれ印刷し、透明リライタブルシートに図面データとページ区分を書き換え可能に印字するとともに、ドットパターンとページ区分に基づいてデジタルペンでページを認識した後、クリアファイルに透明リライタブルシートを挟み込み、透明リライタブルシートに印字した図面データに加筆する情報をドットパターン入りのクリアファイルの表面にデジタルペンで書き換え可能に筆記することにより、図面データと加筆情報を関連付けてデジタルデータとして保存することを特徴とする図面データ保存方法。
【請求項３】
透明リライタブルシートの印字の色とクリアファイルの背景層の色とが補色関係になるように設定することを特徴とする請求項１又は２に記載の図面データ保存方法。
【請求項４】
デジタルデータを保存した後、透明リライタブルシートに印字された図面データとドットパターン入りのクリアファイルに筆記された加筆情報を消去して透明リライタブルシートとドットパターン入りのクリアファイルを再利用することを特徴とする請求項１又は３に記載の図面データ保存方法。
【請求項５】
デジタルデータを保存した後、透明リライタブルシートに印字された図面データ及びページ区分と、ドットパターン入りのクリアファイルに筆記された加筆情報を消去して透明リライタブルシートとドットパターン入りのクリアファイルを再利用することを特徴とする請求項２又は３に記載の図面データ保存方法。
【発明の詳細な説明】
【技術分野】
【０００１】
本発明はデジタルペンと透明リライタブルシートとクリアファイルを利用した図面データ保存方法に関する。
【背景技術】
【０００２】
従来、パソコンを使って図面を作成する図面作成業務において、作成した図面データを紙に印字し、原図と照らし合わせて確認をしていた。そして、確認の際に修正箇所が見つかるとパソコン上で図面データを修正し、その修正が終わるとまた紙に印字して確認するという作業を繰り返していた。このため、完成までに修正が多いと何度も紙に印字しなければならず、紙の浪費や保管面において問題があった。
【０００３】
そこで、このような問題を解決する策として、例えばリライタブルシートを利用する方法が考えられる。リライタブルシートを利用することにより、印字した図面データに修正があればパソコン上で修正し、修正後の図面データをリライタブルシートに書き換えることができるからである。ところが、リライタブルシートに図面データを印字する場合、一般的なリライタブルシートは基材が不透明であるため、原図の上にリライタブルシートを重ねても原図を透かして見ることができず、印字した図面データと原図を照らし合わせて確認するという作業ができないという問題がある。
【０００４】
一方、近年では基材に透明な素材を使用したリライタブルシートが開発されている（例えば、下記の特許文献１参照）。このような透明タイプのリライタブルシートを利用することにより、原図を透かして見れば印字した図面データと照合することはできる。しかしながら、今度は逆に基材が透明であるがゆえに、印字した図面データの内容が見づらくなるという別の問題が発生する。また、不透明タイプ、透明タイプのいずれのリライタブルシートを利用した場合においても、図面データに修正箇所を手書きで記入した後に、その記入した情報を図面データに関連付けてデジタルデータとして保存することができないという問題もある。
【０００５】
【特許文献１】特開２００２−５９６５３号公報
【発明の開示】
【発明が解決しようとする課題】
【０００６】
本発明はこのような問題点を解決するためになされたものであり、図面作成業務において、パソコンで作成した図面データを紙に印字せずにリライタブルシートに印字することで省資源化を図るとともに、リライタブルシートに印字された図面データの確認を容易に行うことができるようにし、さらにはリライタブルシートに印字された図面データとそれに手書きで筆記した加筆情報とを関連付けてデジタルデータとして保存できるようにした図面データ保存方法を提供することを目的とする。
【課題を解決するための手段】
【０００７】
本発明は、上記の目的を達成するため、デジタルペンと透明リライタブルシートとクリアファイルを用いた図面データ保存方法であって、クリアファイルの表面側にデジタルペンで認識される位置検出用のドットパターンを、裏面側に背景層をそれぞれ印刷し、透明リライタブルシートに図面データを書き換え可能に印字するとともに、ドットパターンに基づいてデジタルペンでページを認識した後、クリアファイルに透明リライタブルシートを挟み込み、透明リライタブルシートに印字した図面データに加筆する情報をドットパターン入りのクリアファイルの表面にデジタルペンで書き換え可能に筆記することにより、図面データと加筆情報を関連付けてデジタルデータとして保存することを特徴とする。
【０００８】
本発明は、上記の目的を達成するため、デジタルペンと透明リライタブルシートとクリアファイルを用いた図面データ保存方法であって、クリアファイルの表面側にデジタルペンで認識される位置検出用のドットパターンを、裏面側に背景層をそれぞれ印刷し、透明リライタブルシートに図面データとページ区分を書き換え可能に印字するとともに、ドットパターンとページ区分に基づいてデジタルペンでページを認識した後、クリアファイルに透明リライタブルシートを挟み込み、透明リライタブルシートに印字した図面データに加筆する情報をドットパターン入りのクリアファイルの表面にデジタルペンで書き換え可能に筆記することにより、図面データと加筆情報を関連付けてデジタルデータとして保存することを特徴とする。
【０００９】
ここで、本発明で用いられている用語を以下に定義する。
【００１０】
デジタルペンとは、筆記した情報を読み取ってそれを電子化したデジタルデータに変換して保存することが可能なペン型入力装置を意味する。本発明ではスウェーデンのアノト社が開発したアノト式の専用ペンを使用することができる。また、デジタルペンで書き換え可能に筆記するために、デジタルペンのインキには可逆性インキとして、例えば熱ペンのサーマルインキのように加熱することで消去できるインキや、ホワイトボードマーカの剥離剤入り油性インキのように拭き取ることで消去できるインキを使用する。
【００１１】
透明リライタブルシートとは、各種情報を印字した後にそれを消去して書き換えることが可能な記録媒体であって、基材に透明な材料を用いた記録媒体を意味する。透明なリライタブルシートを使用する理由は、原図の上にリライタブルシートを重ね合わせ、印字した図面データと透かして見える原図とを照合できるようにするためである。本発明において使用可能な透明リライタブルシートとしては、例えば基材に透明ＰＥＴを用いたロイコ染料型リライタブルシート等が挙げられる。
【００１２】
クリアファイルは、合成樹脂等からなるシートを少なくとも半分に折り畳んでその間に透明リライタブルシートを挟み込めるようになっていればよい。また、クリアファイルは透明リライタブルシートに印字される図面データを確認できるように、透明又は半透明の素材を使用する必要がある。
【００１３】
位置検出用のドットパターンは、多数個の微細なドットからなるユニークなパターンによって、デジタルペンで筆記した情報がクリアファイル上でどの位置にあるのかを特定するための絶対座標を表わすものである。本発明では上記のアノト式の専用ペンに対応したアノトパターンを使用することができる。
【００１４】
図面データは、本発明においてはパソコン上で図面の作成、修正が可能な電子化されたデータを意味し、ｄｘｆファイル、ｄｗｇファイル、ｖｓｄファイル等、そのデータのファイル形式は特に問わない。
【００１５】
ページ区分とは、ページ番号のようにページを認識する際に必要なデータである。ページ区分の印字は例えばドットパターン、バーコード、２次元コード、ＯＣＲ用パターン、ＯＭＲ用マーク等により表わすことができる。
【００１６】
本発明の図面データ保存方法では、クリアファイルの間に透明リライタブルシートを挟み込んで図面データを確認するが、このとき図面データを見やすくするために、透明リライタブルシートの印字の色とクリアファイルの背景層の色とが補色関係になるように設定するとよい。補色関係とは、二つの色を適当な割合で混合した結果無彩色になるとき、その二つの色同士の関係をいう。例えば、透明リライタブルシートの印字の色が青色の場合にはクリアファイルの背景層を黄色に、また印字の色が赤色の場合には背景層を青緑色に設定するとよい。
【００１７】
また、本発明の図面データ保存方法においては、デジタルデータを保存した後、透明リライタブルシートに印字された図面データとドットパターン入りのクリアファイルに筆記された加筆情報を消去して透明リライタブルシートとドットパターン入りのクリアファイルを再利用することが好ましい。
【００１８】
また、本発明の図面データ保存方法においては、デジタルデータを保存した後、透明リライタブルシートに印字された図面データ及びページ区分と、ドットパターン入りのクリアファイルに筆記された加筆情報を消去して透明リライタブルシートとドットパターン入りのクリアファイルを再利用することが好ましい。
【発明の効果】
【００１９】
本発明の図面データ保存方法によると以下の効果が得られる。
【００２０】
パソコンで作成した図面データを印字して確認する際に、紙媒体を廃止するとともに透明リライタブルシートとクリアファイルを再利用することによって、省資源化を図り、図面作成業務におけるコストの削減を達成できる。
【００２１】
リライタブルシートが透明であるため、印字した図面データと透かして見える原図とを照らし合わせて確認することができ、しかもクリアファイルの背景層がコントラストになって図面データの内容が見づらくなることもないので、図面データの確認作業を容易に行える。特に、透明リライタブルシートの印字の色とクリアファイルの背景層の色とを補色関係に設定すると、両者のコントラストが強調されるので、印字された図面データの内容がより一層見やすくなる。
【００２２】
図面データに手書きで加筆した情報をデジタルペンでデジタルデータに変換し、それを即座にパソコンに取り込むことができるので、電子化に伴う作業時間が短縮化され、図面作成業務の効率が大幅に向上する。
【００２３】
デジタルペンでページ区分を認識することができ、透明リライタブルシートに印字した図面データとクリアファイルに手書きで加筆した情報との間でデータを関連付けて保存することができるので、データのマッチングミスがなくなるとともに、データの取り扱い作業性に優れる。特に、図面データと一緒にページ区分を印字した場合には、ドットパターンとページ区分を認識し、両者を照合させてページ認識することができるので、データの信頼性が向上する。
【００２４】
図面データに手書きで加筆した情報を保存するためにコピー機で複写したり、あるいはパソコンに取り込むためにスキャナーで入力したりする作業が必要なくなるので、情報の漏洩を防止でき、セキュリティ性が高まる。
【発明を実施するための最良の形態】
【００２５】
以下、本発明の実施形態を図面に基づいて説明する。
【００２６】
図１は本発明の図面データ保存方法の手順を示す説明図、図２は本発明方法に使用するクリアファイルの構成を示す断面図、図３は同クリアファイルに印刷されたドットパターンを示す拡大図、図４は本発明方法に使用する透明リライタブルシートの構成を示す断面図、図５は本発明に使用するデジタルペンの構成を示す断面図である。
【００２７】
図１に示すように、本発明の図面データ保存方法はデジタルペン１０と透明リライタブルシート２０とクリアファイル３０を利用したもので、（Ａ）ドットパターンと背景層の印刷、（Ｂ）図面データの印字、（Ｃ）ページの認識、（Ｄ）加筆情報の筆記、（Ｅ）データの保存、（Ｆ）図面データと加筆情報の消去、の手順に従って実施される。そこで、各手順の具体的内容を以下に説明する。
【００２８】
（Ａ）ドットパターンと背景層の印刷
まず、クリアファイルにドットパターンと背景層を印刷する。
【００２９】
図２に示すように、本実施形態のクリアファイル３０は、透明性を有するポリプロピレンシートを二つ折りし、その間に透明リライタブルシート２０を挟み込めるようにしたものである。クリアファイル３０の表面側にはドットパターン４０が印刷され、これと対向する裏面側には背景層５０が印刷されている。
【００３０】
クリアファイル３０への印刷は、図１のようなオフセット印刷等（プリンタ印字でも可）によるプリンタ６０を用いて行う。すなわち、プリンタ６０のインキローラ６１から版胴６２を介してブランケット胴６３にインキを転移させ、このインキをクリアファイル３０に転写して表面にドットパターン４０を印刷し、裏面に背景層５０を印刷する。
【００３１】
ドットパターン４０は、デジタルペン１０で筆記される情報とページ区分を認識するための位置検出用マーカーである。本実施形態においてはドットパターン４０としてアノトパターンを採用している。図３に示すように、このアノトパターンは多数個の微細なドット４１，４１，…を約０．３ｍｍ間隔の格子上の交点から上下左右のいずれかの方向へわずかにずらして配置したパターンである。すなわち、６×６（１．８ｍｍ×１．８ｍｍ）の計３６個のドット４１の集合体からなるユニークなパターンがクリアファイル３０上での絶対座標を表わしている。個々のドット４１はデジタルペン１０の赤外線カメラから照射した赤外光を吸収するように、耐熱性を有する赤外線吸収インキで印刷される。赤外線吸収インキとしては、例えば炭素系の黒色顔料を含有したインキや、補助剤に赤外線吸収剤を添加したインキを使用することができる。
【００３２】
背景層５０は、透明リライタブルシート２０に印字した図面データを確認しやすくするために設けたものである。背景層５０はクリアファイル３０の上に耐熱性を有する紫外線硬化型インキでベタ印刷又はパターン印刷することで形成される。また、本実施形態では背景層５０の色を白色にしているが、より好ましくは、透明リライタブルシート２０の印字の色と補色関係になるように設定するとよい。その理由は、背景層５０の色と透明リライタブルシート２０の印字の色とのコントラストを高め、印字された図面データの内容をより一層見やすくするためである。
【００３３】
（Ｂ）図面データの印字
次に、透明リライタブルシートに図面データを印字する。
【００３４】
本実施形態の透明リライタブルシート２０は、透明性を有するロイコ染料型リライタブルシートである。図４に示すように、このリライタブルシート２０は、透明ＰＥＴからなる基材２１の表面に感熱発色層２２を塗布したもので、感熱発色層２２はロイコ染料からなる発色剤２３とフェノール系化合物からなる顕色剤２４とを含んでいる。そして、感熱発色層２２を加熱すると、発色剤２３と顕色剤２４が溶融して発色し、これを急激に冷却すると発色状態が固定される。一方、感熱発色層２２を加熱して発色剤２３と顕色剤２４を溶融させ、これを徐々に冷却すると消色するようになっている。
【００３５】
図面データＤは、パソコン８０上で作成や修正が可能な電子化されたデータであり、ｄｘｆファイル、ｄｗｇファイル、ｖｓｄファイル等、そのデータのファイル形式は特に問わない。透明リライタブルシート２０への図面データＤの印字は、図１のようなサーマルプリンタ７０を用いて行う。すなわち、サーマルプリンタ７０のサーマルヘッド７１で透明リライタブルシート２０を加熱して急激に冷却すると、感熱発色層２２の発色によって図面データＤが書き換え可能に印字される。なお、パソコン８０で作成された図面データＤは、ドットパターン４０のページ区分のデータに対応してパソコン８０内のメモリに記憶されている。
【００３６】
なお、図示しないが、図面データＤの印字と同時にページ区分を印字してもよい。ページ区分とはページ番号等のページ認識に必要なデータをドットパターン、バーコード、２次元コード、ＯＣＲ用パターン、ＯＭＲ用マーク等で表わしたものである。
【００３７】
（Ｃ）ページの認識
次に、デジタルペンでクリアファイルのページを認識する。
【００３８】
本実施形態のデジタルペン１０は、アノトパターンに対応したアノト式ペンである。図５に示すように、このデジタルペン１０はケース１１内にペン部１２と、カートリッジ１３と、赤外線カメラ１４と、プロセッサ１５と、メモリ１６と、通信ユニット１７と、バッテリ１８とが収容されている。
【００３９】
ペン部１２はカートリッジ１３に充填されたインキによって加筆情報の筆記を行うものである。クリアファイル３０の上に書き換え可能に筆記するために、インキは可逆性のものを用いるようにする。例えば、熱ペンのサーマルインキのように加熱することで消去されるインキや、ホワイトボードマーカの剥離剤入り油性インキのように拭き取ることで消去されるインキを使用することができる。本実施形態ではサーマルプリンタ７０のサーマルヘッド７１を使って消去できるようにサーマルインキを使用している。
【００４０】
赤外線カメラ１４はケース先端の開口部からクリアファイル３０に向けて赤外光を照射する発光部と、クリアファイル３０からの反射光を受光するＣＭＯＳセンサ等からなる受光部とを備えており、ペン部１２周辺の赤外線画像を撮影する。
【００４１】
プロセッサ１５は赤外線カメラ１４で撮影した赤外線画像から赤外線吸収レベルに応じて２値化したデータを取得し、そのデータからペン部１２の筆跡を認識してメモリ１６に筆跡のデジタルデータを記憶するものである。また、通信ユニット１７はBluetooth（登録商標）通信により外部機器との間でデータ通信を行う。なお、バッテリ１８はリチウムイオン電池からなる内部電源である。
【００４２】
クリアファイル３０のページ認識はデジタルペン１０でクリアファイル３０をなぞることによって行う。すなわち、デジタルペン１０でクリアファイル３０の一部の領域をなぞると、赤外線カメラ１４によってクリアファイル３０上にあるドットパターン４０の赤外線画像が撮影される。このとき、プロセッサ１５は撮影された赤外線画像に基づいて、ドットパターン４０の座標値で特定されるクリアファイル３０のページ区分の情報を認識する。プロセッサ１５が認識したページ区分のデータはメモリ１６に記憶される。
【００４３】
なお、図示した例では、ドットパターン４０でページ区分されたクリアファイル３０を複数枚準備してページ認識するようにしたが、透明リライタブルシート２０に図面データＤとページ区分を印字した場合には、印字されたドットパターン４０とページ区分をデジタルペン１０で認識し、両者を照合させてページを認識することができるので、データの信頼性が向上する。
【００４４】
（Ｄ）加筆情報の筆記
次に、デジタルペンでクリアファイルに加筆情報を筆記する。
【００４５】
加筆情報Ｍの筆記はデジタルペン１０のインキによって行う。すなわち、クリアファイル３０の間に透明リライタブルシート２０を挟み込み、透明リライタブルシート２０に印字された図面データＤの内容を見ながらデジタルペン１０のペン部１２でドットパターン４０の上から筆記する。ここで、透明リライタブルシート２０はその基材２１が透明であるため、原図の上に透明リライタブルシート２０を重ねれば原図を透かして見ることができるので、印字した図面データＤと原図を照合することができる。また、このときクリアファイル３０の背景層５０がコントラストとなって図面データＤの内容が見づらくなることがない。したがって、図面データＤの確認作業を容易に行うことができる。
【００４６】
このように、デジタルペン１０で筆記を行うと、カートリッジ１３に充填されたサーマルインキによって加筆情報Ｍが書き換え可能に筆記される。なお、図示した例では加筆情報Ｍとして“承認”の文字を筆記し、印字した図面データＤの修正を確認したことを示している。
【００４７】
また、この筆記をしている最中に、デジタルペン１０の赤外線カメラ１４がクリアファイル３０上にあるドットパターン４０の赤外線画像を連続的に撮影する。このとき、プロセッサ１５は、撮影された赤外線画像に基づいてドットパターン４０の座標値で特定される文字の位置とその移動軌跡を読み取り、クリアファイル３０上にどのような文字が筆記されたのかという加筆情報Ｍを認識する。そして、プロセッサ１５が認識した加筆情報Ｍはデジタルデータに変換され、ページ区分のデータとともにメモリ１６に記憶される。
【００４８】
（Ｅ）データの保存
次に、パソコンにデータを保存する。
【００４９】
デジタルペン１０からパソコン８０へのデータの移行作業はデジタルペン１０の通信機能を用いて行うことができる。すなわち、デジタルペン１０には通信ユニット１７が内蔵されており、通信ユニット１７の無線通信によってメモリ１６に記憶されているページ区分と加筆情報Ｍのデジタルデータがパソコン８０に転送される。そして、転送されたデジタルデータは、ページ区分のデータをキーにして、パソコン８０のメモリに記憶されている図面データＤに関連付けされる。これにより、図面データＤと加筆情報Ｍを関連付けて保存することができる。なお、データの移行作業はデジタルペン１０とパソコン８０をＵＳＢケーブル等の有線で接続して行ってもよい。
【００５０】
（Ｆ）図面データと加筆情報の消去
最後に、透明リライタブルシートの図面データとクリアファイルの加筆情報を消去する。
【００５１】
パソコン８０へのデータ保存が完了すれば、透明リライタブルシート２０に印字した図面データＤとクリアファイル３０に筆記した加筆情報Ｍを消去してもよい。すなわち、サーマルプリンタ７０の熱ローラ７２やその他の消去手段（例えば熱板やサーマルヘッドなど）で透明リライタブルシート２０を加熱して徐々に冷却すると、感熱発色層２２が消色し、透明リライタブルシート２０に印字されていた図面データＤが消去される。また、これとは別に、クリアファイル３０を熱ローラ７２等で加熱するとサーマルインキが消色するので、デジタルペン１０で筆記した加筆情報Ｍの“承認”の文字を消去することができる。なお、デジタルペン１０のインキに剥離剤入り油性インキを使用した場合には、クリアファイル３０に筆記された加筆情報Ｍを拭き取って消去すればよい。
【００５２】
また、クリアファイル３０に印刷されたドットパターン４０は耐熱性の赤外線吸収インキで構成され、背景層５０は耐熱性の紫外線硬化型インキで構成されているので、熱ローラ７２等で加熱してもドットパターン４０と背景層５０が消去されることはない。このため、加筆情報Ｍを消去した後のクリアファイル３０には、ドットパターン４０と背景層５０が残るので、上記（Ａ）のようにあらためてドットパターン４０と背景層５０を印刷する必要がなくなる。したがって、一度ドットパターン４０と背景層５０を印刷すれば透明リライタブルシート２０とクリアファイル３０を再利用することが可能になり、以後は上記（Ｂ）〜（Ｆ）の手順に従って図面データの保存処理を実行することができる。
【００５３】
なお、透明リライタブルシート２０に図面データＤとページ区分を印字した場合、図面データＤの消去と同時にページ区分も消去するようにする。
【００５４】
以上説明したように、この図面データ保存方法によれば、デジタルペン１０と透明リライタブルシート２０とクリアファイル３０を利用することによって、図面データＤと加筆情報Ｍをデジタルデータとしてパソコン８０に即座に保存することができる。このため、手書きで筆記した情報を電子化する際の作業時間が短縮化され、図面作成業務の効率が大幅に向上する。また、図面データＤと加筆情報Ｍとの間でデジタルデータの関連付けを簡単に行えるので、データのマッチングミスも起こらない。さらには、加筆情報Ｍを保存するためにコピー機で複写したりスキャナーで入力したりする作業が必要なくなるので、情報の漏洩を防止でき、セキュリティ性が高くなる。
【００５５】
なお、上述した実施形態ではデジタルペン１０にアノト式ペンを使用し、ドットパターン４０にアノトパターンを採用したが、これに限らず、他の方式のデジタルペンとドットパターンの組み合わせを採用してもよい。また、リライタブルシート２０については透明性を有するロイコ染料型リライタブルシートを使用したが、透視でき、かつ情報を書き換えることが可能であれば、これ以外の可逆性記録媒体を使用することもできる。さらに、デジタルペンのインキについてもサーマルインキ以外の可逆性インキを使用することができる。
【図面の簡単な説明】
【００５６】
【図１】本発明の図面データ保存方法の手順を示す説明図。
【図２】クリアファイルの構成を示す断面図。
【図３】クリアファイルに印刷されたドットパターンを示す拡大図。
【図４】透明リライタブルシートの構成を示す断面図。
【図５】デジタルペンの構成を示す断面図。
【符号の説明】
【００５７】
１０  デジタルペン
１１  ケース
１２  ペン部
１３  カートリッジ
１４  赤外線カメラ
１５  プロセッサ
１６  メモリ
１７  通信ユニット
１８  バッテリ
２０  透明リライタブルシート
２１  基材
２２  感熱発色層
２３  発色剤
２４  顕色剤
３０  クリアファイル
４０  ドットパターン
４１  ドット
５０  背景層
６０  プリンタ
６１  インキローラ
６２  版胴
６３  ブランケット胴
７０  サーマルプリンタ
７１  サーマルヘッド
７２  熱ローラ
８０  パソコン
【図１】
2008047046.tif 000003
【図２】
2008047046.tif 000004
【図３】
2008047046.tif 000005
【図４】
2008047046.tif 000006
【図５】
2008047046.tif 000007